(57)【要約】  本発明は、光学的に３次元で知覚可能な再生画像を形成する方法およびステレオ投影システムに関する。ここでは上記のステレオ画像の２つのパースペクティブ部分画像（左ないしは右）のパースペクティブ部分画像毎に、可視スペクトルの別個に設定した領域が色フィルタによって遮られて、区切られた複数のスペクトル区間だけが、青色（Ｂ），緑色（Ｇ）および赤色（Ｒ）の色知覚領域の透過するようにされている。２つのパースペクティブ部分画像に対し、透過区間の位置は異なって選択されている。本発明では２つのパースペクティブ部分画像に対する透過区間の数を、一方では画像形成に対して、またはステレオ眼鏡による画像検出に対して６より小さく（ｂ）選択し、他方では６に等しく（ａ）選択する。数を少なくするケース（ｂ）では、上記のパースペクティブ部分画像のうちの１つに対して、少なくとも１つの透過区間を、青色（Ｂ），緑色（Ｇ）または赤色（Ｒ）の２つの色知覚領域において透過であるように選択する。ここでこれは左右の順序の並び替えにより、また引き続いて隣接する区間とまとめることによって得られる。順序を並び替えた区間に相応して、対応する画像データも同様に順序が並び替えられる。これによって、再生品質を実質的に低減することなく、フィルタに対するコスト、殊に上記のステレオ投影システム用干渉フィルタに対するコスト、ないしは光学的に知覚可能な３次元の再生画像を形成するための方法に対するコストを低減することができる。ここではむしろ不快なフリッカを低減することができる。
2010510532.tif 000002
【特許請求の範囲】
【請求項１】
光学的に３次元で知覚可能な再生画像を形成する方法であって、
２つのパースペクティブ部分画像（左ないしは右）のパースペクティブ部分画像毎に、色フィルタによって、可視スペクトルのあらかじめ定めた相異なる領域を遮り、区切られた複数のスペクトル区間が、青色（Ｂ），緑色（Ｇ）および赤色（Ｒ）の色知覚領域の透過性を有するようにし、
前記の２つのパースペクティブ部分画像に対して透過区間の位置は異なっており、
画像形成時および画像検出時にステレオ眼鏡を用いて、前記のパースペクティブ部分画像に対する色フィルタを使用する形式の、光学的に３次元で知覚可能な画像再生を行う方法において、
前記の画像形成のための色フィルタに対し、ステレオ眼鏡による画像検出のための色フィルタよりも多くの異なる個数の透過区間を選択し、
前記の２つのパースペクティブ部分画像に対する透過区間の数ａを、一方では、例えば６よりも小さく選択し、前記のパースペクティブ部分画像のうちの１つに対する少なくとも１つの透過区間が、青色（Ｂ），緑色（Ｇ）または赤色（Ｒ）の２つの色知覚領域にて透過性を有するように選択して、
他方では前記の２つのパースペクティブ部分画像に対する透過区間の数ｂをより大きく、例えば６と等しく選択し、
前記の画像形成のための色フィルタおよびステレオ眼鏡の色フィルタの透過区間は実質的に同じに構成されており、またその他は相応に構成されており、ここでこれは、前記の画像形成またはステレオ眼鏡にて、個々の透過区間がペアで左右が交換され、また隣接する区間との接続とによって全体的に数が低減されることによって行われ、
前記のペアで左右を交換した区間に対応付けられる画像データを、画像形成の際に左右を交換することを特徴とする、
光学的に３次元で知覚可能な画像再生を行う方法。
【請求項２】
前記の画像形成または画像検出の色フィルタに対し、２つのパースペクティブ部分画像に対する透過区間（Ｌ２１，Ｌ１２，Ｒ１１，Ｒ１２，Ｒ１３；Ｌ２１，Ｌ２２，Ｌ２３，Ｒ２１，Ｒ２２）の数ｂを５と等しく選択し、
前記のパースペクティブ部分画像のうちの１つに対する１つの透過区間（Ｌ１１；Ｒ２２）が、青色（Ｂ）および緑色（Ｂ）の２つの色知覚領域にてまたは緑色（Ｇ）または色赤（Ｒ）の２つの色知覚領域にて、３０ｎｍ以上の幅で透過性を有するように選択する、
請求項１に記載の、光学的に３次元で知覚可能な再生画像を形成する方法。
【請求項３】
前記の透過区間（Ｌ１２，Ｒ１１，Ｒ１２，Ｒ１３；Ｌ２１，Ｌ２２，Ｌ２３，Ｒ２１）は、青色（Ｂ），緑色（Ｇ）または赤色（Ｒ）のただ１つの色知覚領域にて約３０ｎｍまたは３０ｎｍの幅を有する、
請求項２に記載の、光学的に３次元で知覚可能な再生画像を形成する方法。
【請求項４】
前記の画像形成または画像検出の色フィルタに対し、２つのパースペクティブ部分画像に対する透過区間（Ｌ３１，Ｌ３２，Ｒ３１，Ｒ３２）の数ｂを４に等しく選択し、
前記のパースペクティブ部分画像のうちの１つに対して、１つずつの透過区間（Ｌ３２；Ｒ３１）が、青色（Ｂ）および緑色（Ｂ）の２つの色知覚領域にてまたは緑色（Ｇ）または赤色（Ｒ）の２つの色知覚領域にて、３０ｎｍ以上の幅で透過性を有するように選択し、
前記のパースペクティブ部分画像のうちの１つに対して、１つずつの区間（Ｌ３１，Ｒ３２）を、青色（Ｂ）または赤色（Ｒ）のただ１つの色知覚領域に配置する、
請求項１に記載の、光学的に３次元で知覚可能な再生画像を形成する方法。
【請求項５】
前記の外側の２つの透過区間のうちの少なくとも１つの透過区間を、開いた区間として構成する、
請求項１から４までのいずれか１項に記載の、光学的に３次元で知覚可能な再生画像を形成する方法。
【請求項６】
光学的に３次元で知覚可能な再生画像を形成するステレオ投影システムであって、
該ステレオ投影システムは、
２つのパースペクティブ部分画像（左ないしは右）を１つのスクリーンに投影するのに適したステレオプロジェクタ（１０，４６）と、
少なくとも１つの光源（１１）と、
パースペクティブ部分画像毎に少なくとも１つの画像を形成するユニット（１２）と、
可視スペクトルの別個に設定される領域を遮る、直交する２つの干渉フィルタユニット（１３ａ，１３ｂ）とを有しており、
前記ステレオ投影システムは、区切られた複数のスペクトル区間が、青色（Ｂ），緑色（Ｇ）および赤色（Ｒ）の色知覚領域にて透過性を有するように構成されており、
２つのパースペクティブ部分画像に対する透過区間の位置が、２つのパースペクティブ部分画像に対して異なっている形式の、光学的に３次元で知覚可能な再生画像を形成するステレオ投影システムにおいて、
前記のステレオプロジェクタの色フィルタを構成して、２つのパースペクティブ部分画像に対する透過区間の数ｂが６よりも小さく選択されており、また前記のパースペクティブ部分画像のうちの１つに対する少なくとも１つの透過区間が、青色（Ｂ），緑色（Ｇ）または赤色（Ｒ）の２つの色知覚領域にて透過性を有するように選択されており、
少なくとも１つのステレオ眼鏡が設けられており、当該ステレオ眼鏡の眼鏡ガラスは、観察者の左眼および右眼に対する透過特性が、直交する２つの干渉フィルタユニットの透過特性と実質的に同じであるか、またはこの透過特性に相応し、
少なくとも６つの区切られたスペクトル区間を有しており、
該スペクトル区間は、青色（Ｂ），緑色（Ｇ）および赤色（Ｒ）の色知覚領域にてペアで透過性を有しており、
当該の透過区間の位置は異なっており、
前記の左のパースペクティブ部分画像は、色画像データＲ１，Ｇ１，Ｂ１により、また右のパースペクティブ部分画像は色画像データＲ２，Ｇ２，Ｂ２により、ステレオプロジェクタの画像を形成するユニットを用いて形成され、
Ｒ１およびＲ２は赤色のカラー画像データ、Ｇ１およびＧ２は緑色のカラー画像データ、Ｂ１およびＢ２の青色のカラー画像データであり、
２つのパースペクティブ部分画像の１色のカラー画像データはペアで左右が交換されて、交換された右の色画像データが、左のパースペクティブ画像に対する干渉フィルタユニットによって表示され、またこの逆が行われ、
前記のステレオプロジェクタの干渉フィルタユニットを構成して、前記の交換した色画像データの少なくとも１部が、２つの色知覚領域における１つの透過区間の領域にて伝送されて投影されるようにし、
前記のステレオプロジェクタを構成して、２つの干渉フィルタユニットが交互に使用されてパースペクティブ画像が投影可能であるようにしたことを特徴とする、
光学的に３次元で知覚可能な再生画像を形成するステレオ投影システム。
【請求項７】
光学的に３次元で知覚可能な画像を形成するステレオ投影システムであって、
該ステレオ投影システムは、
２つのパースペクティブ部分画像（左ないしは右）をスクリーンに投影するのに適したステレオプロジェクタ（１０，４６）と、
少なくとも１つの光源（１１）と、
パースペクティブ部分画像毎に少なくとも１つの画像を形成するユニット（１２）と、
可視スペクトルの別個に設定される領域を遮る、直交する２つの干渉フィルタユニット（１３ａ，１３ｂ）とを有しており、
前記ステレオ投影システムは、区切られた複数のスペクトル区間が、青色（Ｂ），緑色（Ｇ）および赤色（Ｒ）の色知覚領域にて透過性を有するように構成されており、
２つのパースペクティブ部分画像に対する透過区間の位置が、２つのパースペクティブ部分画像に対して異なっており、
少なくとも１つのステレオ眼鏡が設けられており、
当該ステレオ眼鏡の眼鏡ガラスは、観察者の左および右眼に対する透過特性が、直交する２つの干渉フィルタユニットの透過特性に相応する形式の、光学的に３次元で知覚可能な再生画像を形成するステレオ投影システムにおいて、
前記の２つのパースペクティブ部分画像に対するステレオ眼鏡の透過区間の数ｂは６よりも小さく選択されており、
前記のパースペクティブ部分画像のうちの１つに対する少なくとも１つの透過区間が、青色（Ｂ），緑色（Ｇ）または赤色（Ｒ）の２つの色知覚領域にて透過性を有するように選択されており、
前記のステレオプロジェクタは、干渉フィルタユニットを有しており、
当該干渉フィルタの左および右のパースペクティブ部分画像に対する透過特性は、ステレオ眼鏡の２つの眼鏡ガラスの透過特性に相応し、また少なくとも６つ（ａ）の区切られたスペクトル区間を有しており、
当該のスペクトル区間は、青色（Ｂ），緑色（Ｇ）および赤色（Ｒ）の色知覚領域にてペアで透過性を有しており、
当該の透過区間の位置は異なっており、
前記の左のパースペクティブ部分画像は、色画像データＲ１，Ｇ１，Ｂ１により、また右のパースペクティブ部分画像は色画像データＲ２，Ｇ２，Ｂ２により、ステレオプロジェクタの画像を形成するユニットを用いて形成され、
Ｒ１およびＲ２は赤色の色画像データ、Ｇ１およびＧ２は緑色の色画像データ、Ｂ１およびＢ２の青色の色画像データであり、
２つのパースペクティブ部分画像の１色の色画像データはペアで左右が交換されて、交換された右の色画像データが、左のパースペクティブ画像に対するステレオプロジェクタの干渉フィルタユニットを用いて表示され、またこの逆が行われ、
前記の眼鏡ガラスの干渉フィルタユニットは選択されて、前記の交換した色画像データの少なくとも１部が、２つの色知覚領域における１つの透過区間の領域にて伝送され、
前記のステレオプロジェクタを構成して、２つの干渉フィルタユニットが交互に使用されてパースペクティブ画像が投影可能であるようにしたことを特徴とする、
光学的に３次元で知覚可能な再生画像を形成するステレオ投影システム。
【請求項８】
前記のステレオプロジェクタまたはステレオ眼鏡の直交する２つの干渉フィルタユニット（１３ａ，１３ｂ）を構成して、
前記の２つのパースペクティブ部分画像に対する透過区間（Ｌ１１，Ｌ１２，Ｒ１１，Ｒ１２，Ｒ１３；Ｌ２１，Ｌ２２，Ｌ２３，Ｒ２１，Ｒ２２）の数ｂが５に等しく選択されており、
前記のパースペクティブ部分画像のうちの１つに対する透過区間（Ｌ１１；Ｒ２２）が、青色（Ｂ）および緑色（Ｂ）の２つの色知覚領域にて、または緑色（Ｇ）または赤色（Ｒ）の２つの色知覚領域にて、３０ｎｍ以上の幅で透過性を有するように選択されており、
前記の透過区間（Ｌ１２，Ｒ１１，Ｒ１２，Ｒ１３；Ｌ２１，Ｌ２２，Ｌ２３，Ｒ２１）が、青色（Ｂ），緑色（Ｇ）または赤色（Ｒ）のただ１つの色知覚領域にて約３０ｎｍまたは３０ｎｍより小さい幅を有する、
請求項６または７に記載した、光学的に３次元に知覚可能な再生画像を形成するステレオ投影システム。
【請求項９】
前記のステレオプロジェクタまたはステレオ眼鏡の直交する２つの干渉フィルタユニット（１３ａ，１３ｂ）を構成して、
前記の２つのパースペクティブ部分画像に対する透過区間（Ｌ３１，Ｌ３２，Ｒ３１，Ｒ３２）の数ｂは等しく選択されており、
前記のパースペクティブ部分画像のうちの１つに対して、１つずつの透過区間（Ｌ３２；Ｒ３１）が、青色（Ｂ）および緑色（Ｂ）の２つの色知覚領域にてまたは緑色（Ｇ）または赤色（Ｒ）の２つの色知覚領域にて、３０ｎｍ以上の幅の透過性を有するように選択されており、
前記のパースペクティブ部分画像のうちの１つに対する１つずつの区間（Ｌ３１，Ｒ３２）が、青色（Ｂ）または赤色（Ｒ）のただ１つの色知覚領域に配置されている、
請求項６または７に記載した、光学的に３次元に知覚可能な再生画像を形成するステレオ投影システム。
【発明の詳細な説明】
【技術分野】
【０００１】
本発明は、画像、ビデオクリック、フィルタなどを立体再生する方法ないしはこのような方法を実施するステレオ投影システムに関する。
【０００２】
３次元再生にはさまざまな技術が存在する。すでに長いこと公知であるのはアナグリフ技術である。２つの左／右部分画像を単純に赤／緑に分離し、それぞれの眼に対して赤または緑の色成分だけを透過させるフィルタ眼鏡を通して合成画像を見ることにより、観察者には立体的な感覚が得られる。ここでは緑色は左側の部分画像だけに、また赤色は右側の部分画像だけに対応付けられる。この際に不利であるのは、このシステムに起因して色フィルタ除去が行われるために、この技術を用いるとリアルなカラー画像を再生できないことである。
【０００３】
テレビジョンに時々使用される別の方式は、プルフリッヒ方式である。ここでも観賞のために眼鏡を使用するが、一方の眼に対するビーム路は、他方の眼に対するビーム路に比べて著しく暗くされる。暗さが異なることだけが重要であるのにも拘わらず、このために（コスト上の理由から）上記と同様に色眼鏡が使用されることが多い。明るさが異なることによって視覚情報（Seheinformation）は、脳の処理領域にわずかに遅延して到達する。表示されるシーンが観察者に対して正しい角度で運動すると、眼に対する知覚の時間的に遅延によって立体視差が発生して、このシーンが空間的に知覚される。このテクニックの利点は、再生テクニックが簡単なことである。不利であるのは上記のシーンがつねに運動していなければならないため、やや時間が経つと不快に感じられることが多いことである。さらに上記のシーンはつねに同じ方向に運動しなければならないのである。そうでなければ深さ情報が逆転にしてしまうためである。また運動速度を一定に維持しなければならない。そうでなければ上記の深さ情報が正しく再生されないからである。
【０００４】
コンピュータ分野では、別の方式が使用されること多い。ここでは右側成分／左側成分は、いわゆるシャッタ眼鏡によって分離される。このシャッタ眼鏡は、電気的に切り換え可能な偏光フィルタにより、例えばモニタまたはプロジェクタからの光を、観察者の右眼または左眼だけに対して交互に通過させるのである。ここでシャッタ眼鏡は、再生装置（例えばモニタ）と同期化されるため、左／右の部分画像がこの再生装置に表示される交換順序に相応して、それぞれの部分画像だけが左眼ないしは右眼に到達するのである。このテクニックにより、忠実な色の再生が行われるが、これに対しては、明るさが大きく低下してしまうという欠点を有する。それは再生画像が（交互に）観察者の片方の眼だけで（すなわちモニタの全体的な明るさの半分だけで）知覚され、これに加えて上記の偏光フィルタそのものがすでに（通過フェーズにおいても）光を吸収してしまうからである。さらに絶えず左／右を遮断するためには、障害的なフリッカ作用を抑圧するために極めて高い画像繰り返し周波数（少なくとも１２０〜１６０Ｈｚ）が必要である。
【０００５】
別の原理は干渉フィルタ技術ベースである。
干渉フィルタ技術ないしは相応するステレオ投影システムにしたがって、光学的に３次元で知覚可能な再生画像を形成する方法はDE 199 24 167 B4から公知である。
ここでは投影のため、スペクトル的なフィルタ作用がわずかに異なる２つの干渉フィルタを使用する。各フィルタは青、緑および赤の基本色に対して狭い３つの通過域（透過区間）を有する。ここで上記の通過域の幅は２０ｎｍの幅で選択される。ここで上記の２つのフィルタの通過域は互いにシフトされて配置されて、これが重なりを有さず、ひいては互いに直交して構成されるようにする。青色、緑色および赤色の色知覚領域における３つの原刺激に対してそれぞれ３つの通過域を有する互いに直交する２つの干渉フィルタを用いることによって、互いに分かれた２つのパースペクティブ部分画像、すなわち、左眼用の部分画像と、右眼用の部分画像とを実現し、これらの部分画像を用いて３次元的に知覚可能な画像をスクリーンに投影することできる。この画像は、観察者により、別々の眼によって選択的に知覚され、ここでこれはこの観察者がつぎのような眼鏡、すなわち、左の眼鏡レンズが一方の干渉フィルタに相応するフィルタ特性を備え、かつ右の眼鏡レンズが他方の干渉フィルタに相応するフィルタ特性を備える眼鏡を有することによって行われる。これによって１つのスクリーンにおいて２つのパースペクティブ部分画像を眼固有に確実に互いに分離し、画像のステレオ作用ないしは３次元作用を観察者において形成することができるのである。
【０００６】
公知の従来技術の特徴は、左ないしは右のパースペクティブ部分画像を形成ないしは検出するための光学コンポーネントがそれぞれ同じに実現されることである。すなわち、左のパースペクティブ部分画像を形成ないしは検出するために、それぞれ同じ偏光性と、同じ光周波数分布および／またはそれぞれの部分画像を形成ないしは検出するための同じ時間的な起動制御を使用するのである。これに対して他方の右のパースペクティブ部分画像を形成ないしは検出するため、上記のとは異なりかつ相補的な光学的または時間的な特性を選択して、２つの投影画像の確実かつ信頼性の高い分離（チャネル分離）を可能にするのである。
【０００７】
本発明の課題は、ステレオ投影システムに対する方法を開発ないしはステレオ投影システムを提供して、この方法ないしはシステムにより、良好な色再生が行われ、フリッカの少なく信頼性の高いパースペクティブ部分画像分離が行われ、またロバストであることが判明している簡単な構造が得られるようにすることである。
【０００８】
この課題は、請求項１の特徴部分に記載されている特徴的構成を有する方法により、また請求項６の特徴部分に記載した特徴的構成を有するステレオ投影システムによって解決される。
【０００９】
本発明の有利な実施形態は従属請求項に記載されている。
【００１０】
本発明の特徴は、画像形成または画像検出のための２つのパースペクティブ部分画像に対する上記の色フィルタを構成して、透過区間の数ｂが公知の従来技術（ａ）よりも低減されるようにすることであり、これに対して２つのパースペクティブ部分画像に対する別の色フィルタは、数がふつうは６に等しく（ａ）、ひいては構造的に異なって選択されるのである。
【００１１】
本発明では、上記のシステムの画像形成かまたは画像検出のためのまさに一方の側に対し、２つのパースペクティブ部分画像に対する透過区間の数ｂが、他方の側の数（ａ）よりも低減した数ｂであり、これは６よりも小さく（ａ）、殊に５または４（ｂ）である。互いに重ならない５以下の透過区間のうちの少なくとも１つの透過区間は、青色（Ｂ），緑色（Ｇ）または赤色（Ｒ）からなる２つの色知覚領域に配置される。上記の別の透過区間は、周波数スペクトルにおいて配置されて、これらの透過区間が、ただ１つの色知覚領域において、すなわち青色または緑色または赤色に配置されるようにする。色知覚のためのこれらの透過区間は、有利には約３０ｎｍまたはこれよりも著しく狭い範囲の帯域幅を有しており、これによって色知覚領域において確実な分離および配置が可能となり、また別の透過区間との確実な分離ないし区別が得られる。このために上記の透過区間を配置して、これらの区間が互いに十分な間隔を有するようにする。
【００１２】
透過領域を上記のように独特に配置して構成することにより、縁の数、すなわち透過区間のエッジの数を低減し、ひいてはふつうは干渉フィルタであるフィルタを作製するためのコストを格段に低減することができ、この際に色再現の可能性が著しく損なわれることを甘受する必要はないのである。
【００１３】
付加的な効果として、本発明の方法ないしは本発明のステレオ投影システムに対して本発明のフィルタを相応に構成する場合、ステレオプロジェクタの構成を簡単にすることができる。それは、このような構成により、例えば２つのパースペクティブ部分画像を分離するための交換フィルタを有しかつ３チップＤＬＰプロジェクタとして実現されるプロジェクタに対して、極めて高い画像交換レートを低減することができるからである。これは、画像再生ユニットの負荷を著しく低減し、ひいてはプロジェクタの寿命を改善することにつながるものである。
【００１４】
２つの色知覚領域において透過性を有するように少なくとも１つの透過区間を構成することにより、投影および画像再生に対して得られる画像輝度を高めまたこれによってつぎのような可能性を得ることができる。すなわち、有利な電子色補正回路により、再生されるパースペクティブ部分画像において、ひいては３次元で知覚可能なステレオ画像において、極めて信頼性が高くまた自然な色配合を得ることができるのである。
【００１５】
有効であることはが判明したのは、眼鏡ガラスの干渉フィルタと、上記のシステムの画像形成コンポーネントの干渉フィルタユニットの干渉フィルタと同じに構成するのではなく、むしろ構造的に異なって構成し、ひいては必要とあれば互い相応するようにだけ構成することである。これにより、作製品質または設計において目的に応じて、相違を利用するかないしは使用して、所定の有利な投影状況または表示状況を得ることができる。例えば、ステレオプロジェクタにおける、また１つまたは複数の眼鏡におけるフィルタの組み合わせにより、ステレオ画像の不快なフリッカを知覚させることなくステレオプロジェクタの画像交換レートを低減することができる。ここで上記のステレオプロジェクタおよび眼鏡は、区切られた個々の透過区間の順序の並び替えにより、対応するフィルタにおいて青色かまたは緑色かまたは赤色の色知覚領域が互いに異なるのである。
【００１６】
ここで以下に説明するステレオ投影システムは、殊に有利であることが判明した。このステレオ投影システムは、ステレオプロジェクタの干渉フィルタユニットの干渉フィルタと、少なくとも１つのステレオ眼鏡とを有しており、ここで上記の干渉フィルタでは、青色または緑色または赤色の色知覚領域において干渉フィルタの区切られた透過区間の順序が並び替えられており、また上記のステレオ眼鏡は干渉フィルタを有しており、ここでこれらの干渉フィルタは、従来技術にしたがい、順序を並び替えていない６つの透過区間を有している。上記の順列の枠内では、１つの色内で、すなわち１つの色知覚内で、相応する干渉フィルタ（右側と左側ないしは右のパースペクティブ部分画像と左のパースペクティブ部分画像）間で２つの透過区間の交換が行われる。ここでは付加的に、隣接する２つの透過区間を共通の１つの透過区間にする少なくとも１つの接合が行われて、この共通の１つの透過区間は、２つの色知覚領域に延在する。これによってステレオプロジェクタの干渉フィルタにおける透過スペクトル区間の合計は、例えば６から５に低減されるのである。
【００１７】
本発明では、透過区間の順序の並び替えに相応して、対応して表示されるカラー画像データの交換が行われる。
【００１８】
例えば、赤色の透過区間Ｒ１およびＲ２の順序の並び替えが行われる場合、すなわちこれらの交換が行われ、またこれに続いて隣接間Ｇ２とＲ１とのまとめる場合、画像情報、すなわちカラー画像データのＲ２による投影は、もはや第１干渉フィルタユニットによってではなく、第２干渉フィルタユニットによって行われる。これによってこれらの「順序を並び替えた」カラー画像データの表示が時間的にシフトされる。それは、各干渉フィルタユニットによって得られかつ順序の並び替えのないパースペクティブ部分画像は、それぞれ完全であり、またつねに個々に順序が交代して表示されるだけであるのに対して、上記の順序並び替えによってこれが行われないからである。上記の順序並び替えによって、２つのパースペクティブ部分画像（左および右）の再生の時間的な分離が本発明では行われない。これにより、左のパースペクティブ部分画像を表示する間の複数のギャップを、順序を並び替えた色の画像ないしは画像情報で満たすことができる。ここで上記の複数のギャップは、当該の１つのギャップにおいて別の、すなわち右のパースペクティブ部分画像が表示されることによって得られるギャップである。
【００１９】
これによって本発明では、投影されるステレオ画像の不快なフリッカを阻止するかまたは低減することができる。ステレオ投影システムをこのように改善して構成することによって可能になるのは、ステレオプロジェクタのコンポーネントに大きな負荷を与える、このステレオプロジェクタの不所望の高い画像繰り返しレートを低減することであり、またこれによってこのプロジェクタのコンポーネントの寿命を延ばすことである。
【００２０】
また択一的または付加的に本発明によって可能になるのは、ステレオ画像表示の不快なフリッカを発生させることなく、表示される画素の数を増やし、ひいては解像度を高めることである。
【００２１】
相応する本発明の手法において有効であることが判明したのは、上記の順序の並び替えをステレオプロジェクタの干渉フィルタユニットにおいて行うのではなく、ステレオ眼鏡の眼鏡ガラスの干渉フィルタにおいて行うことである。これにより、上で述べた本発明の実施形態においても得られた利点に相応する利点が得られる。
【００２２】
殊に有利であることが判明したのは、２つのパースペクティブ部分画像に対する透過区間の低減した数を５に等しく選択することである。これにより、１つのパースペクティブ部分画像が、２つの透過区間によって形成され、これに対して別のパースペクティブ部分画像が３つの透過区間によって形成され、これらの３つの透過区間の１つずつが、青色、緑色および赤色の色知覚領域の領域に配置され、有利にはふつう３０ｎｍ以下、例えば２０〜２５ｎｍの範囲の帯域幅を有する。
【００２３】
また有効であることが判明したのは、外側の青色の透過区間ないしは外側の赤色の透過区間を上ないしは下に向かって開いた区間、すなわちふつう人間に可視の領域を越えるかまたはあまり急峻には下降しないエッジによってすでに形成される広い透過区間として実現し、またこれによってここでも明るさを増大させることである。この付加的な明るさを用いれば、電子的手段によって色感覚を改善する可能性が得られる。
【００２４】
２つの透過領域を有するフィルタは、透過区間の数が減少しており、これらの透過区間はこれに相応して、透過区間の通過帯域に対する縁、すなわちエッジの数が明らかに減少しており、すなわち従来技術における６個の代わりに４個である。ここで上記の透過領域のうちの１つの透過領域は、２つの色知覚領域、すなわちふつうは赤色および緑色ないしは青色および緑色を含んでいる。数を減少させることによって、フィルタ特性が格段に簡単になり、またコスト的に有利かつ簡単にフィルタを構成することでき、その際には驚いたことにも、これによって色再生品質が実質的に影響を受けることはないのである。上記の透過区間のエッジの急峻さは、フィルタ、例えば干渉フィルタの品質を決定する尺度であり、これそのものがフィルタのコストに大きく影響する。
【００２５】
エッジの少ないフィルタ、殊に干渉フィルタを本発明にしたがって上記のように構成することにより、すなわち一方では透過区間の数を本発明にしたがって低減することにより、また他方では、例えばこれらの透過区間の外側の縁部領域においてなだらかに降下するエッジを有し、また外側の色知覚領域の縁部領域において開いた透過区間を設けることができることによって、付加的に、光学的に３次元で知覚可能な画像を形成する方法に対するないしはステレオ投影システムに対するフィルタのコスト、例えば干渉フィルタのコストを格段に低減することができる。
【００２６】
ここで殊に有利であることが判明したのは、フィルタ、殊にファブリ・ペロー干渉フィルタとして実現されるフィルタを構成して、これらのフィルタが、２つのパースペクティブ部分画像に対して合計で４つの透過区間を有するようにすることである。ここで１つのパースペクティブ部分画像に対する各フィルタは、２つの色知覚領域に配置される１つの透過区間を有する。ここでこれらの透過区間は、青色および緑色の２つの色知覚か、または緑色または赤色の２つの知覚を有する。これらの透過区間の平均帯域幅は３０ｎｍ以上である。別の２つの透過区間は、ただ１つの色知覚、すなわち青色または赤色に対応付けられる。ここでこれらの２つの透過区間の１つずつの透過区間は、２つのパースペクティブ部分画像に対応付けられ、ひいては１つずつのフィルタに対応付けられる。上記の透過区間を選択して、各フィルタないしは各パースペクティブ部分画像が、赤色、青色、緑色の各色知覚領域に対してカラー情報を受け取るようにする。
【００２７】
ここでも外側の透過区間を、開いた透過区間として構成することも可能である。これによって一方では区間の数を低減することにより、また他方では付加的に開いた縁部区間を設けることにより、縁の数ないしはエッジの数をさらに少なくし、これによって例えばファブリ・ペローフィルタとして実現される簡単かつコスト的に有利なフィルタを使用して本発明のステレオ投影システムを得ることができるのである。
【００２８】
少なくとも一部が３０ｎｍ以上の帯域幅を有しまた少なくとも一部が２つの色知覚領域をカバーする従来技術よりも拡げた上記のような帯域幅を設けることによって、極めて明るいステレオ投影画像を、ひいては３次元で知覚可能な画像を投影することができ、その際に色再現の品質が著しく損なわれることはないのである。その他の点では上記のように透過区間を構成することにより、電子補正回路によって極めて自然な色感覚を形成する可能性が得られるのである。
【００２９】
本発明による投影システムの極めて有利な実施形態によれば、ステレオ投影システムを同時に利用したい人間の数に依存して、異なる数のステレオ眼鏡が設けられる。ここでこれらのステレオ眼鏡は、干渉フィルタを有する眼鏡レンズを備えている。ここでは眼鏡ガラスの光学特性を選択し、有利には眼鏡ガラスが、ステレオプロジェクタの相応する干渉フィルタユニットとは構造的に異なるようにする。これによって、投影される画像情報および画像の明るさを最適に利用できるため、本発明によるステレオ投影システムの１人または複数の利用者はそれぞれ利用者自身で、ひいては共通に極めて快適かつ明るい、ならびに変色のないステレオパースペクティブ画像を知覚することができるのである。
【００３０】
言い換えると、本発明は、公知の干渉フィルタ技術ないしは公知の相応するステレオ投影システムによる光学的に３次元で知覚可能な画像再生を行う方法から出発してつぎのような特徴を有する。すなわち、上記の画像形成のための色フィルタ、すなわちステレオプロジェクタまたはステレオディスプレイなどにおける色フィルタは、ステレオ眼鏡を用いた画像検出のための色フィルタとは構造的に異なって形成されており、ここでこれは数の異なる透過区間を選択することによって行われる。ここで２つの数のうちの１つの数ａは、例えば従来技術の場合と同様に６に等しく選択し、これに対して別の数ｂを本発明にしたがってａよりも小さく、ひいては例えば６よりも小さく選択する。
【００３１】
上記の区間の数の低減は例えばつぎのようにして得られる。すなわち、幅の狭い２つの透過区間を青色（Ｂ），緑色（Ｇ）または赤色（Ｒ）の色知覚領域において左右を交換し（順序を並べ替え）、その後、これらの区間のうちの１つの区間と、隣接する透過区間とを幅の広いただ１つの区間に接続し、これによって青色（Ｂ），緑色（Ｇ）または赤色（Ｒ）の２つの色知覚に延在するただ１つの透過区間が得られるのである。これにより、画像形成用ないしはステレオ眼鏡用の色フィルタに対して、実質的に同じに構成されている透過区間と、また構造的に異なり、ひいては相応に構成されているだけの別の透過区間とが得られるのである。
【００３２】
さらに本発明では、ペアで左右を交換した（順序を並び替えた）区間に対応付けられる画像データを、画像形成の際に付加的に左右を交換して、左眼および右眼に対するステレオスコープパースペクティブ部分画像を確実かつ高い信頼性で分離できるようにし、またこれに加えて個々のカラー画像データを順次に再生する際のシステムのフリッカ傾向を低減する。また本発明のシステムは、簡単、頑強およびコスト的に有利な構成を有する。
【００３３】
以下、図面およびそこに示した参照符号を参照して本発明を詳しく説明する。
【００３４】
本発明は、図面に例示的に示した実施例に制限されない。
【図面の簡単な説明】
【００３５】
【図１ａ】本発明のステレオ投影システムの概略図である。
【図１ｂ】本発明の別のステレオ投影システムの概略図である。
【図２】従来技術によるふつうの干渉フィルタ技術における、直交フィルタのスペクトル透過領域を示す図である。
【図３】本発明による２つの干渉フィルタにおける透過区間のスペクトル分布の例を示す図である。
【図４】本発明による２つの干渉フィルタにおける透過区間のスペクトル分布の別の例を示す図である。
【図５】本発明による２つの干渉フィルタにおける透過区間のスペクトル分布の別の例を示す図である。
【図６ａ】ステレオ眼鏡およびステレオプロジェクタに対して、透過区間のスペクトル分布を従来技術にしたがって示す図である。
【図６ｂ】ステレオ眼鏡およびステレオプロジェクタに対して知覚すべきおよび投影されるカラー画像データの時間順序を従来技術にしたがって示す図である。
【図７】ステレオ眼鏡およびステレオプロジェクタに対し、透過区間のスペクトル分布を本発明の例示的なステレオ投影システムにしたがって示す図である。
【図８】本発明による例示的なステレオ投影システムの、投影されまた知覚すべき色画像データの時間順序を示す図である。
【図９】ステレオ眼鏡およびステレオプロジェクタに対し、本発明の例示的なステレオ投影システムによる透過区間の別のスペクトル分布を示す図である。
【００３６】
図１ａには、光学的に知覚可能な３次元再生画像を形成する本発明のステレオ投影システムのキーコンポーネント、すなわちステレオプロジェクタ１０が示されている。このステレオプロジェクタ１０は、これに供給される画像データをスクリーン２０に投影する。ここでこれは、ステレオ画像データがステレオプロジェクタ１０においてパースペクティブ部分画像に変換されてスクリーン２０に投影されることによって行われる。
互いに分離された２つのパースペクティブ部分画像は、まとまってステレオ画像になり、３次元で知覚可能な画像になる。この画像は、ステレオ眼鏡３０を装着した観察者によって知覚される。ここではステレオ眼鏡３０およびそれに設けられた眼鏡ガラスにより、上記の２つのパースペクティブ部分画像が互いに分離されまた互いに区別されて観察者の左眼ないしは右眼に供給される。これによって観察者は、立体視用に区別された２つのパースペクティブ部分画像を知覚して３次元構造を知覚するのである。
【００３７】
ステレオプロジェクタ１０のケーシングには、パースペクティブ部分画像を投影するために重要なすべてのコンポーネントと、組み込まれた色補正回路１５とが示されている。ここでは短アークランプの形態光源１１がパースペクティブ部分画像毎に実現されており、この短アークランプが送出する光は、ＬＣＤチップとして実現される画像供給ユニット１２に供給される。画像供給ユニット１２は、ステレオ画像データと共にないしはこれに対応する各パースペクティブ部分画像と共に駆動制御されて、所望のパースペクティブ部分画像が、画像供給ユニット１２に供給される光源１１の広帯域の光から形成され、投影光学系１４に供給され、引き続いてスクリーン２０に供給される。
【００３８】
ステレオプロジェクタ１０はさらにパースペクティブ部分画像毎に付加的な干渉フィルタユニット１３ａまたは１３ｂを有する。光源１１と、画像供給ユニット１２との間に干渉フィルタユニット１３ａを配置構成することにより、極めて頑強かつコンパクトなユニットが得られ、これに対して択一的に投影光学系１４の前に干渉フィルタユニット１３ｂを配置構成にすることにより、極めてフレキシブルであり、また頑強さは劣るが、コンパクトな装置になる。
【００３９】
ステレオプロジェクタ１０に組み込まれる色補正回路１５は、ステレオ画像データに対する図示しない画像データ源に接続されており、またこれに供給されるステレオ画像データの色および輝度を補正して、干渉フィルタユニット１３ａ，１３ｂの透過区間（通過域）を選択することによって形成される色ずれを低減するかないしは十分に解消する。さらに上記の色補正回路によって保証されるのは、相異なるパースペクティブ部分画像に対する相異なる干渉フィルタユニット１３ａないしは１３ｂの透過区間が異なることに起因して発生する、相異なる透過特性による輝度の違いおよびその他の色の歪みも十分または完全に補正することである。ここでは、使用する投影光学系１４ないしは光源１１に起因する障害も付加的に補正される。これによって極めてバランスのとれ、中立な色のステレオ画像を投影することができ、この画像により、観察者において極めて快適な観察が可能になり、ひいては３次元の知覚を確実かつ快適に行うことができるのである。
【００４０】
干渉フィルタユニット１３ａ，１３ｂは、ファブリ・ペロー干渉フィルタであり、これらは、１つずつのフィルタ特性を有しており、互いに垂直に構成される。図２には２つの干渉フィルタユニットの公知のフィルタ特性が、左眼に対してひいては一方のパースペクティブ部分画像に対して、また右眼に対してひいては他方のパースペクティブ部分画像に対して示されている。上記の干渉フィルタユニットは、互いに直交して構成されており、ひいては互いに重なり合うことはない。ここでは、図示の透過区間Ｂ１，Ｂ２，Ｇ１，Ｇ２，Ｒ１およびＲ２は重なっておらず、また互いに間隔が開いているため、２つのパースペクティブ部分画像は、確実に分離されて再生することができる。個々の透過区間Ｂ１，Ｂ２，Ｇ１，Ｇ２，Ｒ１およびＲ２は、ここでは、約２０ｎｍの半値幅の帯域幅を有する極めて狭帯域な透過区間として実現されており、これらの透過区間のうちの２つの区間Ｂ１およびＢ２は人間の眼の青色の色知覚領域に、２つの区間Ｇ１およびＧ２は緑色の色知覚領域に、また２つの区間Ｒ１およびＲ２は赤色の色知覚領域に配置されている。区間Ｒ２は、開いた外側の透過区間であり、この区間は、急勾配の縁ないしはエッジを有しており、またここに図示していない格段に勾配の少ない縁、エッジを有する。
【００４１】
透過区間Ｂ１，Ｇ１およびＲ１を有する干渉フィルタユニットには６つの際立った急勾配のエッジがあるのに対し、透過区間Ｂ２，Ｇ２およびＲ２を有する別の干渉フィルタユニットには５つの際立った縁ないしはエッジがある。これらの急勾配の縁を作成するのは極めて困難であり、この干渉フィルタユニットの大きなコストの原因である。３つずつの狭帯域の透過区間を配置構成することによって、彩り豊かなかつ快適なステレオ画像を投影することができる。
【００４２】
図１ｂには本発明による別のステレオプロジェクタ１０が、相異なる投影時点Ｔ１またはＴ２において示されている。ステレオプロジェクタ１０は、ケーシングにパースペクティブ部分画像を投影するために重要なすべてのコンポーネントを有しており、また組み込まれた色補正回路１５を有している。ただ１つの光源１１は短アークランプの形態で実現されており、このランプによって送出された光は、ＤＭＳチップとして実現されるただ１つの画像供給ユニット１２に供給される。画像供給ユニット１２は、ステレオ画像データと共に、ないしはこの画像供給ユニット１２に順次に対応付けられるパースペクティブ部分画像と共に駆動制御されて、所望のパースペクティブ部分画像が、これに供給される光源１１の広帯域の光から形成され、投影光学系１４に供給され、引き続いてスクリーン２０に供給される。
【００４３】
さらにステレオプロジェクタ１０は、パースペクティブ部分画像毎に交換フィルタを有しており、これは、互いに直交する２つの相異なる干渉フィルタを有する干渉フィルタユニット１３ｃである。これらの干渉フィルタは、一方のパースペクティブ部分画像かまたは他方のパースペクティブ画像を表示するかに応じて交互にビームに押し込まれる。光源１１と画像供給ユニット１２との間に交換フィルタとして干渉フィルタユニット１３ｃを配置することにより、極めて頑強かつコンパクトであると同時にコスト的に有利なユニットが得られる。
【００４４】
図３には２つの干渉フィルタユニット１３ａ，１３ｂの本発明によるフィルタ特性が示されており、ここでは合計して６個よりも少ない透過区間、すなわち５個の透過区間Ｌ２１，Ｌ２２，Ｌ２３，Ｒ２１およびＲ２２だけが実現されている。ここでは透過区間Ｌ２１，Ｌ２２およびＲ２１は、狭帯域の透過区間として、青色の知覚領域（Ｌ２１およびＲ２１）ならびに緑色の知覚領域（Ｌ２２）に実現されている。これらの帯域幅は約２５ｎｍである。Ｌ２１は、４２５〜４５０ｎｍの範囲の平均半値幅を有しており、Ｒ２１は、４６０〜４８５ｎｍの帯域幅を半値幅として有しており、また緑色の知覚領域において透過区間Ｌ２２は半値幅が５００〜５２５ｎｍである。
【００４５】
透過区間Ｒ２２だけが、眼のただ１つの色知覚領域に入っていない。むしろこの透過区間は緑色および赤色の知覚領域の一部を含んでおり、５３５〜６２６ｎｍの波長領域にわたって延びている。これとは別にまたここから離れて６３５ｎｍから６９０ｎｍを上周る波長の透過区間Ｌ２３が延びており、またこれは開いた区間である。
【００４６】
ここで２つの透過区間Ｒ２１およびＲ２２は、右眼のためのパースペクティブ部分画像に対応付けられており、これに対して別の３つの透過区間Ｌ２１，Ｌ２２およびＬ２３は別のパースペクティブ部分画像に、ひいては左眼に対応付けられている。
【００４７】
このフィルタ特性により、透過区間の数が少なくなり、さらに急傾斜の縁ないしはエッジの数が少なくなる。ここでは透過区間の数は合計して５に低減され、これに対して急傾斜の縁の数は合計して９に低減される。これにより、一方ではこのフィルタ特性を実現するためのコストが著しく低減され、この際にこれによって色再生品質に大きな影響は発生しない。逆に透過区間Ｒ２２を広い幅で構成することによって高い輝度を達成できることにより、色補正回路を特に広く使用できまたこれによって色特性を付加的に改善することができる高い輝度を達成することができる。
【００４８】
６つの透過区間を有する従来技術による色特性から出発して、本発明の色特性は、チャネル順序の並び替えによって、すなわち、区間Ｒ１を一方のパースペクティブ部分画像から他方のパースペクティブ部分画像に換えて、またＲ１と区間Ｇ２とを接続することによって得られ、またこの代わりに透過区間Ｒ２を他方のパースペクティブ部分画像に割り当てるよって行われる。
【００４９】
これに相応して図２のフィルタ特性から図４のフィルタ特性が得られ、ここでは区間Ｂ１が別のパースペクティブ部分画像に対応付けられ、またその代わりに部分画像１に対して区間Ｂ２と区間Ｇ１とが接続される。これによって相応して図３のフィルタ特性に形成されまた相応の匹敵する利点を有するフィルタ特性を得ることができる。上述のフィルタ特性とは異なり、ここでは上記の透過区間Ｌ１１は、２つの色知覚領域の青色および緑色にわたって延在する。これに対して他の区間はつねに１つ色知覚領域内だけにある。ここで区間Ｌ１１の帯域幅は460〜525ｎｍであり、また区間Ｒ１１の帯域幅は４２０〜４５０ｎｍである。これに対してＲ１２の帯域幅は５３５〜５６５ｎｍであり、区間Ｌ１２の帯域幅は５９５〜６２６ｎｍである。区間Ｒ１３は、開いた区間として、６３５ｎｍ以上から６９０ｎｍを越えて延在する比較的広い帯域幅を有している。このフィルタ特性も、区間が少なくなり、さらに急傾斜なエッジが著しく低減されるという特徴を有しており、これにより、このフィルタ特性を実現するためのコストが格段に低減される。
【００５０】
さらに図５には本発明の別のフィルタ特性、すなわち４つの透過区間しか有しないフィルタ特性が示されており、これらの透過区間のうち２つは、２つの色知覚領域にわたって延在しており、別の２つはただ１つの知覚領域だけにわたって延在しているかないしはこの知覚領域内に配置されている。左眼に対する区間Ｌ３１と、右眼に対する区間Ｒ３２とは１つずつの色知覚領域だけに、すなわち青色の知覚領域ないしは赤色の色知覚領域に対応付けられる。区間Ｌ３１は、４２０ｎｍ以下から約４５０ｎｍまで延在しており、またＲ３２は、６３５から６９０ｎｍ以上までの赤色の色知覚領域に延在している。Ｒ３２は、６９０ｎｍ以上の領域において、平坦な縁ないしは平坦な上側の縁ないしはエッジを有するいわゆる開いた区間である。２つの色知覚領域にわたって延在する別の２つの区間は、拡大した帯域幅を有する。この帯域幅は３０ｎｍよりも格段に広い。区間Ｌ３２は、緑色の色知覚領域も赤色の色知覚領域も共にカバーし、約５３５〜６２６ｎｍの帯域幅に延在している。これに対してＲ３１は、青色および緑色の色知覚領域に延在しており、４６０〜５２５ｎｍの領域を含む。上記の２つの干渉フィルタのフィルタ特性をこのように構成することにより、直交したフィルタ特性が得られる。このフィルタ特性は、区間数が格段に少ない、すなわち４であるという特徴を有し、また急傾斜のエッジが格段に少ない、すなわち全部で７であると特徴を有し、これによって極めて簡単かつ極めて良好に作製可能なフィルタ特性が得られる。それでもなおこのフィルタ特性は、ステレオ投影ンシステムの極めて快適な色再生を可能にすることができるのである。
【００５１】
図６ａには従来技術によるステレオプロジェクタおよび対応するステレオ眼鏡の透過区間が示されている。ここでステレオ眼鏡６は、区切られた狭い透過区間Ｂ１*，Ｇ１*，Ｒ１*およびＢ２*，Ｇ２*，Ｒ２*を有する。ステレオプロジェクタの干渉フィルタユニットも同様に上記の区間と同じ６つの透過区間Ｂ１，Ｇ１，Ｒ１およびＢ２，Ｇ２，Ｒ２を有する。ここで区間ｘ１（ｘ＝Ｂ，Ｇ，Ｒ）はそれぞれ左のパースペクティブ部分画像ないしはステレオプロジェクタの「左」の成分に対応付けられており、これに対して区間ｘ２は「右」の成分に対応付けられている。明らかであるのは、区間ｘ１が区間ｘ２に対して直交して構成されていることである。
【００５２】
図６ｂには個々のパースペクティブ部分画像の表示ないしは知覚可能な画像内容の時間順序が従来技術にしたがって示されている。これは例えば図１ｂに記載のステレオプロジェクションシステムによって形成される。図６ａに示した干渉フィルタを有するステレオプロジェクションシステムによって投影されかつ知覚可能な部分画像はここでは交互に再生される。
【００５３】
まず相応する区間によって投影される画像情報Ｂ１，Ｇ１，Ｂ１を有する左パースペクティブ部分画像が再生される。この時間には右パースペクティブ部分画像の画像ないしは画像情報は投影されず、ひいてはカラー画像データも投影されない。したがって右パースペクティブ部分画像も知覚できない。引き続き、相応する区間を用いて投影される、カラー画像データＢ２，Ｇ２，Ｒ２を有する右パースペクティブ部分画像が表示される。これに対してこの時間には左パースペクティブ部分画像は表示されない。これに相応して、ステレオ眼鏡の右の眼鏡ガラスを通して右パースペクティブ部分画像だけを知覚することができ、左パースペクティブ部分画像の情報を知覚することはできない。
【００５４】
引き続いてここでも他方のパースペクティブ部分画像が表示され、またこれに相応して先のパースペクティブ部分画像の表示が中断される。
【００５５】
上記のパースペクティブ部分画像を交互に表示することにより、それぞれの眼についてそれぞれの画像を知覚するために多大な時間的なギャップが発生するため、これらのパースペクティブ部分画像は、時間的なギャップが長すぎると不快なフリッカに結び付く。これを阻止するため、ステレオプロジェクタの画像交換レートを高く選択する。この高い画像交換レートは、ステレオプロジェクタのコンポーネントには大きな負荷になる。この負荷はステレオプロジェクタの寿命を縮め、またこのステレオプロジェクタを故障し易くしてしまうのである。このことは付加的に図１ｂのフィルタ交換機構にも当てはまることである。この欠陥を克服するためには、極めて繁雑でコストのかかる事前対策を講じなければならないのである。
【００５６】
図７には図５に相応して、ステレオプロジェクタの干渉フィルタユニットの干渉フィルタに対する、ないしはステレオ眼鏡の眼鏡ガラスの干渉フィルタの干渉フィルタスペクトルの本発明によるスペクトル分布が示されている。
【００５７】
ステレオプロジェクション眼鏡の眼鏡ガラスの干渉フィルタ特性は、従来技術に相応して６つの狭い区間を有するが、これに対して本発明では上記のステレオプロジェクタの干渉フィルタの区間は、構造的に異なっており、４つの透過区間しか有しない。上記のステレオプロジェクタの干渉フィルタは、左パースペクティブ部分画像に対して狭い区間Ｂ１*を有し、その一方で別の区間は、Ｇ１*とＧ２*との順序を並び替えて、区間Ｇ２*と、区間Ｒ１*と接続することにより、比較的の幅の広い区間になる。
【００５８】
これに相応して、右のパースペクティブ部分画像に対する、ステレオプロジェクタの干渉フィルタについても、Ｇ１*とＢ２*とを接続した区間が得られ、この区間は、孤立した狭い区間Ｒ２*によって補足される。上記の接続した区間は、２つの色知覚領域に延在している。
【００５９】
ここでＢ１およびＢ１*ないしはＲ２およびＲ２*は十分に同じに構成されており、これに対して別の区間は、構造的にまた実質的に異なっており、また必要であれば相応する。
【００６０】
図８についても相応に本発明によるこの装置において、カラー画像データの順序の並び替えも行われるため、これに相応して以下に説明する本発明の利点を得ることができる。
【００６１】
図８には再生されまた受け取られるステレオ画像情報ないしはカラー画像情報の時間順序が、本発明によるステレオ投影システムの左眼ないしは右眼に対して示されており、ここでは図１ｂのステレオプロジェクタが使用される。
【００６２】
図８の図の元となっているのは、ステレオプロジェクタにおける干渉フィルタユニットに対する図７に相応した透過区間のスペクトル分布である。
【００６３】
区間Ｇ１とＧ２との順序の並び替えにより、Ｇ１とＢ２との間に形成され２つの色知覚領域を含む幅の広い区間Ｒ３１が得られる。順序を並び替えた区間Ｇ２は、区間Ｒ１と共に区間Ｌ３２にまとめられ、同様に２つの色知覚領域を含む。上記の順序の並び替えとこれに引き続いて２度のまとめることにより、ステレオプロジェクタの２つの干渉フィルタユニットに対して４つの透過区間を有する装置が得られる。
【００６４】
付加的に、区間Ｇ２に対応付けられるカラー画像データと、区間Ｇ１との順序を並び替え、ひいては別の干渉フィルタユニットで表示する場合、これによって交互の表示が得られ、ひいてはこれらのカラー画像データを左眼ないしは右眼で知覚することができ、ここでは緑色の色知覚領域に対するカラー画像データと、赤色および青色の別の色知覚領域のカラー画像データとが交換される。これはカラー色画像データの付加的な順序の並び替えによって行われるため、左眼は左眼用の情報だけを識別することができる。このことは相応して右眼に対しても当てはまる。ここで注目すべきであるのは、本発明ではステレオ眼鏡に対して６つの区間の順序の並び替えが必要でないことである。これによってこのステレオ眼鏡の光学的な特性は、ステレオプロジェクタにおける干渉フィルタユニットの順序を並び替えていない干渉フィルタの光学特性に相応する。上記の手法により、従来技術によるそれぞれの眼に対する再生におけるギャップを埋めることができ、これによって不所望のフリッカを大きく制限することができる。
【００６５】
カラー画像データＲ１，Ｂ１には短い間隔でカラー画像データＧ２が続き、またさらに、相応する短い間隔でこれにカラー画像データＲ１，Ｂ１，Ｇ１などが続く。このことは左眼に当てはまる。またこのことは相応して右眼にも行われる。著しいダークフェーズによる顕著な負の光刺激なしに、上記の長い時間間隔を消去することにより、実質的に品質を高めることができる。ここで殊に有利な結果になるのは、画像知覚の生理学的な遅延の負の面が、本発明によるこの解決手段においては殊に障害が少なくなることである。それは、明るさの中断は、本発明では時間的に極めて短く、ひいてはこれが行われないかまたは極めて限定的にしか行われないからである。
これによって、再生される明るさを生理学的に十二分に検出することができる。これは従来技術では不可能であり、検出される明るさの低減として反映されるのである。
したがって本発明によれば、主観的に一層明るく知覚されるステレオ画像が得られるのである。
【００６６】
さらにステレオ投影システムのこの構成により、フリッカ傾向を高めてしまうことなく、画像交換レートを低減することができ、また必要に応じて、表示すべきステレオ画像の解像度を上げることができる。適用に応じて上記を択一的に行うか、または組み合わせて行うことも可能である。ここでは上記の画像交換レートと解像度との関係を考慮して、これらから得られる積が、伝送される画像データの一定の最大帯域幅になるようにする。これによれば、例えば画像交換レートを低減することによって解像度を高めることができる。
【００６７】
上記のステレオ投影システムにより、ステレオ画像を極めて快適かつ心地よく知覚することができ、加えてこのステレオ投影システムは、長い寿命と、快適かつコスト的に有利な実現であるという特徴を有するのである。
【００６８】
図９にはステレオ投影システムに対する本発明の別の解決手段が記載されている。図９には図６ａに相応して、ステレオプロジェクタの干渉フィルタユニットの干渉フィルタに対する、ないしはステレオ眼鏡の眼鏡ガラスの干渉フィルタの干渉フィルタスペクトルのスペクトル分布が示されている。
【００６９】
上記のステレオプロジェクタの区間の特性は、従来技術に相応して６つの狭い区間を示しているが、これに対して上記のステレオ投影眼鏡の眼鏡ガラスの干渉フィルタ特性は、４つの透過区間しか有しない。ここで左の眼鏡ガラスは狭い区間Ｂ１*を有するが、これに対して別の区間は、Ｇ１*とＧ２*との順序を並び替えて区間Ｇ２*と、区間Ｒ１*と接続することによって得られる。
【００７０】
これに相応して、右の眼鏡ガラスに対して、Ｇ１*とＢ２*とを接続した区間が得られ、この区間は、孤立した狭い区間Ｒ２*によって補足される。これらの接続された区間は、２つの色知覚領域に延在している。図８に相応して本発明によるこの装置ではカラー画像データの順序の並び替えも行われるため、これに相応して上記の利点を得ることができる。
【００７１】
さらに上記の作製およびコスト上の利点はここで殊に顕著である。それはここでは２つの干渉フィルタユニットを有するステレオプロジェクタに、区間の数が低減された一層多くのステレオ眼鏡を対応付けることができ、一方では大きなコスト上の利点が得られ、他方ではまた著しい品質上の利点が得られるのである。
【００７２】
さらに、例えば、交換フィルタを有する３チップＤＳＰプロジェクタに対し、図示のフィルタ特性により、従来技術における高い画像交換レートを本発明によって低減することができ、これによって駆動可能な画素の最大数を増大させ、ないしはこのステレオプロジェクタの故障しにくくし、これによって本発明によるこのステレオ投影システムの寿命および頑強性を格段に高めることができるのである。
【図１ａ】
2010510532.tif 000003
【図１ｂ】
2010510532.tif 000004
【図２】
2010510532.tif 000005
【図３】
2010510532.tif 000006
【図４】
2010510532.tif 000007
【図５】
2010510532.tif 000008
【図６ａ】
2010510532.tif 000009
【図６ｂ】
2010510532.tif 000010
【図７】
2010510532.tif 000011
【図８】
2010510532.tif 000012
【図９】
2010510532.tif 000013
【国際調査報告】
2010510532.tif 000014
2010510532.tif 000015
2010510532.tif 000016
2010510532.tif 000017